(57)【要約】【課題】散水構造に工夫を凝らし、製氷水の製氷板に対する散水をむらなく一様に行うようにした流下式製氷機用散水装置を提供する。【解決手段】散水装置Ｂにおいて、散水体２０の本体部材２０ａは、製氷水用散水路２１、除氷水用散水路２２及び左右両側拡散壁２３を一体に備えている。両散水路２１、２２は、共に、同一の断面矩形状にて、互いに平行となり上下に一体となるように形成されている。両散水路２１、２２は、それぞれ、各左右両側壁２１ｂ、２２ｂに複数対の散水孔２１ａを有している。左右両側拡散壁２３は、両散水路２１、２２の各左側壁２１ｂ、２２ｂの境界から外方へ水平状に延出しており、これら各拡散壁２３の上面２３ａは、水平状平面となっている。散水案内部材３０は、散水路２１上に取り付けられており、この散水案内部材３０の左右両案内板部３２は、左右各拡散壁２３上に向け傾斜している。【選択図】    図１
2004309011.tif 000002
【特許請求の範囲】
【請求項１】
製氷板を立設してなる流下式製氷機に前記製氷板上にその幅方向に沿い設けられる散水装置において、散水体と、散水案内部材とを備え、
前記散水体は、前記製氷板の上端部にてその幅方向に沿い位置する除氷水用散水路と、この散水路とその直上にて当該散水路の長手方向に沿い一体に形成した製氷水用散水路と、前記両散水路と一体に形成されて当該両散水路の境界から外方へ前記製氷板の製氷面直上まで延出する拡散壁であってその上面にて水平の平面状となっている拡散壁とを備えて、
前記製氷水用散水路は、前記拡散壁側に位置する平板状側壁であってその長手方向に沿い間隔をおいて複数の散水孔を有する側壁を備え、
前記除氷水用散水路は、前記拡散壁側に位置する平板状側壁であってその長手方向に沿い間隔をおいて複数の散水孔を有する側壁を備え、
前記散水案内部材は、前記製氷水用散水路上にその長手方向に沿い取り付けられる取り付け部と、この取り付け部から前記拡散壁側へ下方に向けて延出する板状案内部とを備えることを特徴とする流下式製氷機用散水装置。
【請求項２】
互いに対向して並行に両製氷板を立設してなる流下式製氷機に前記両製氷板上にその各幅方向に沿い設けられる散水装置において、散水体と、散水案内部材とを備え、前記散水体は、前記両製氷板の各上端部間にてその幅方向に沿い位置する除氷水用散水路と、この散水路とその直上にて当該散水路の長手方向に沿い一体に形成した製氷水用散水路と、前記両散水路と一体に形成されて当該両散水路の境界から互いに外方へ前記両製氷板の各製氷面直上まで延出する両拡散壁であってその各上面にて水平の平面状となっている両拡散壁とを備えて、
前記製氷水用散水路は、互いに対向して並行に位置する平板状両側壁であってその各長手方向に沿い間隔をおいて複数の散水孔を有する両側壁を備え、
前記除氷水用散水路は、互いに対向して並行に位置する平板状両側壁であってその各長手方向に沿い間隔をおいて複数の散水孔を有する両側壁を備え、
前記散水案内部材は、前記製氷水用散水路上にその長手方向に沿い取り付けられる取り付け部と、この取り付け部から前記散水路の両側へ下方に向けて延出する両板状案内部とを備えることを特徴とする流下式製氷機用散水装置。
【請求項３】
前記散水体はその両拡散壁にて前記両製氷板上にその各幅方向に沿い上方へ取り外し可能に載置されており、
前記散水案内部材は、その取り付け部にて、前記製氷水用散水路上にその長手方向に沿い着脱可能に取り付けられており、
前記両散水路は、その境界を基準に対称的な断面形状を有しており、
前記製氷水用散水路の前記複数の散水孔は、当該製氷水用散水路の前記両側壁にその同一の高さ方向中間部位に沿い形成されており、
前記除氷水用散水路の前記複数の散水孔は、当該除氷水用散水路の前記両側壁にその同一の高さ方向中間部位に沿い形成されていることを特徴とする請求項２に記載の流下式製氷機用散水装置。
【発明の詳細な説明】
【０００１】
【発明の属する技術分野】
本発明は、流下式製氷機に採用される散水装置に関するものである。
【０００２】
【従来の技術】
従来、流下式製氷機用散水装置としては、下記特許文献１に開示されたものがある。当該散水装置では、両製氷板は、間隔をおいて並行に立設され、その各上端部にて相互に一体化するように逆Ｖ字状に折り曲げられている。また、製氷水用散水管が両製氷板の各上端部の直上に位置してこれら各上端部の幅方向に沿うように配設されている。そして、製氷モード時は、製氷水が製氷用散水管により散水されて両製氷板の各表面に沿い流下する。これにより、当該製氷水は、両製氷板間に設けた蒸発器により冷却されて板状の製氷として両製氷板の各表面上に成長する。
【０００３】
【特許文献１】
実昭公６１−４１８６号公報
【０００４】
【発明が解決しようとする課題】
ところで、上記散水装置において、製氷水用散水管から両製氷板の各表面への散水は、当該各表面に沿いむらなく一様に流下するように行う必要がある。このためには、製氷水用散水管の長手方向に沿い形成される各散水孔の間隔を狭くする必要があり、従って、当該各散水孔の内径が小さくなってしまう。その結果、各散水孔に汚れ等が付着すると、当該各散水孔の孔が小さくなったり閉塞したりして、製氷水用散水管による製氷水の散水が良好には行われないという不具合が生ずる。
【０００５】
そこで、本発明は、以上のようなことに対処するため、散水構造に工夫を凝らし、製氷水の製氷板に対する散水をむらなく一様に行うようにした流下式製氷機用散水装置を提供することを目的とする。
【０００６】
【課題を解決するための手段】
上記課題の解決にあたり、本発明は、請求項１の記載によれば、製氷板（Ａ、１０ａ）を立設してなる流下式製氷機に当該製氷板上にその幅方向に沿い設けられる散水装置において、散水体（２０）と、散水案内部材（３０）とを備え、  散水体は、製氷板の上端部にてその幅方向に沿い位置する除氷水用散水路（２２）と、この散水路とその直上にて当該散水路の長手方向に沿い一体に形成した製氷水用散水路（２１）と、両散水路と一体に形成されて当該両散水路の境界から外方へ製氷板の製氷面直上まで延出する拡散壁であってその上面（２３ａ）にて水平の平面状となっている拡散壁（２３）とを備えて、
製氷水用散水路は、拡散壁側に位置する平板状側壁であってその長手方向に沿い間隔をおいて複数の散水孔（２１ａ）を有する側壁（２１ｂ）を備え、一方、除氷水用散水路は、拡散壁側に位置する平板状側壁であってその長手方向に沿い間隔をおいて複数の散水孔（２２ａ）を有する側壁（２２ｂ）を備え、
散水案内部材は、製氷水用散水路上にその長手方向に沿い取り付けられる取り付け部（３１）と、この取り付け部から拡散壁側へ下方に向けて延出する板状案内部（３２）とを備えることを特徴とする。
【０００７】
これによれば、流下式製氷機の製氷モードにおいては、製氷水が製氷水用散水体に圧送されると、このように圧送される製氷水は、製氷水用散水路の各散水孔を通り外方へ噴出する。すると、各散水孔から噴出する製氷水は、それぞれ、散水案内部材の板状案内部の裏面に沿い案内されて拡散壁の上面上に流下する。
【０００８】
ついで、このように散水案内部材の案内部の裏面により案内されて拡散壁の上面上に流下した製氷水は、拡散板の外端面から製氷板の製氷面に沿い流下する。ここで、上述のように、拡散板の上面は水平状平面となっている。このため、拡散板の上面上に上述のように流下する製氷水は、当該上面上にて拡散されて広がり一様な面状となり、拡散板の外端面に向け流動させる。
【０００９】
このように、散水案内部材の案内部と拡散壁との各相乗作用により散水路の各散水孔から噴出する製氷水を一様な面状に拡散するようにした。このため、面状の製氷水として製氷板の製氷面に沿いむらなく散水流下させることができるのは勿論のこと、製氷水用散水路の側壁に対する各散水孔の形成間隔を広くでき、その結果、散水孔の数を減少させ得る。しかも、上述のように散水孔の形成間隔を広くできるので、各散水孔の内径を大きくすることができる。その結果、散水孔の汚れの付着によるその孔径の減少や閉塞を確実に防止できる。
【００１０】
また、本発明は、請求項２の記載によれば、互いに対向して並行に両製氷板（Ａ、１０ａ）を立設してなる流下式製氷機に当該両製氷板上にその各幅方向に沿い設けられる散水装置において、散水体（２０）と、散水案内部材（３０）とを備え、散水体は、両製氷板の各上端部間にてその幅方向に沿い位置する除氷水用散水路（２２）と、この散水路とその直上にて当該散水路の長手方向に沿い一体に形成した製氷水用散水路（２１）と、両散水路と一体に形成されて当該両散水路の境界から互いに外方へ両製氷板の各製氷面直上まで延出する両拡散壁であってその各上面（２３ａ）にて水平の平面状となっている両拡散壁（２３）とを備え、
製氷水用散水路は、互いに対向して並行に位置する平板状両側壁であってその各長手方向に沿い間隔をおいて複数の散水孔（２１ａ）を有する両側壁（２１ｂ）を備え、一方、除氷水用散水路は、互いに対向して並行に位置する平板状両側壁であってその各長手方向に沿い間隔をおいて複数の散水孔（２２ａ）を有する両側壁（２２ｂ）を備え、
散水案内部材は、製氷水用散水路上にその長手方向に沿い取り付けられる取り付け部（３１）と、この取り付け部から前記散水路の両側へ下方に向けて延出する両板状案内部（３２）とを備えることを特徴とする。
【００１１】
これによれば、流下式製氷機の製氷モードにおいては、製氷水が製氷水用散水体に圧送されると、このように圧送される製氷水は、製氷水用散水路の各両側散水孔を通り外方へ噴出する。すると、各両側散水孔から噴出する製氷水は、それぞれ、散水案内部材の両側板状案内部の裏面に沿い案内されて両側拡散壁の各上面上に流下する。
【００１２】
ついで、このように散水案内部材の両側案内部の各裏面により案内されて両側拡散壁の各上面上に流下した各製氷水は、両側拡散板の各外端面から両側製氷板の各製氷面に沿い流下する。ここで、上述のように、両側拡散板の各上面は水平状平面となっている。このため、両側拡散板の各上面上に上述のように流下する各製氷水は、当該各上面上にて拡散されて広がり一様な面状となり、両側拡散板の各外端面に向け流動させる。
【００１３】
このように、散水案内部材の両案内部と両側拡散壁との各相乗作用により散水路の各両側散水孔から噴出する製氷水を一様な面状に拡散するようにした。このため、面状の製氷水として各製氷板の製氷面に沿いむらなく散水流下させることができるのは勿論のこと、製氷水用散水路の各側壁に対する各散水孔の形成間隔を広くでき、その結果、両側散水孔の各数を減少させ得る。しかも、上述のように各側散水孔の形成間隔を広くできるので、各側散水孔の内径を大きくすることができる。その結果、各側散水孔の汚れの付着によるその孔径の減少や閉塞を確実に防止できる。
【００１４】
また、本発明は、請求項３の記載によれば、請求項２に記載の流下式製氷機用散水装置において、散水体は両製氷板上にその各幅方向に沿い上方へ取り外し可能に載置されており、
散水案内部材は、その取り付け部にて、製氷水用散水路上にその長手方向に沿い着脱可能に取り付けられており、
両散水路は、その境界を基準に対称的な断面形状を有しており、
製氷水用散水路の複数の散水孔は、当該製氷水用散水路の両側壁にその同一の高さ方向中間部位に沿い形成されており、
除氷水用散水路の複数の散水孔は、当該除氷水用散水路の両側壁にその同一の高さ方向中間部位に沿い形成されていることを特徴とする。
【００１５】
このように、両散水路の各両側壁は、互いに平行な平板状の壁となっており、しかも、各両側壁に対する各散水孔の形成位置は、各両側壁の同一の高さ方向中間部位である。このため、各両側壁に対する各散水孔の形成加工は容易に行える。
【００１６】
また、両散水路は一体となっているので、両散水路を互いに別体で製造するのに比べて、散水路の製造コスト及び両散水路の取り付けに用いる他の部品の数及びコストを削減できる。
【００１７】
また、両散水路はその境界を基準に対称的な断面形状を有しているので、除氷水用散水路の各散水孔があまり汚れていないのに製氷水用散水路の各散水孔の汚れがひどい場合には、散水体を上下反対にして、除氷水用散水路を製氷水用として利用し、製氷水用散水路を除氷水用として利用することができる。即ち、両散水路に互換性を持たせることができ、その結果、散水体を洗浄することなく使用できる期間を長くし得る。
【００１８】
また、散水体はその両拡散壁にて両製氷板上にその各幅方向に沿い上方へ取り外し可能に載置されているので、当該散水案内部材を散水体から取り外すことで、製氷水用として利用する散水路の両側壁を外方にさらすことができる。従って、汚れやすい散水路の散水孔（特に製氷水用散水路の散水孔）の掃除がし易い。
【００１９】
また、散水路の取り外しは、上述のように、散水体を上方へ持ち上げるだけで行えるので、散水体の取り外し及び再度の配置のためのスペースを特に設ける必要がない。
【００２０】
なお、上記各手段の括弧内の符号は、後述する実施形態に記載の具体的手段との対応関係を示すものである。
【００２１】
【発明の実施の形態】
以下、本発明の一実施形態を図面に基づいて説明する。図１及び図２は、本発明に係る流下式製氷機の一実施形態の要部を示している。この製氷機は、図１にて示すごとく、左右両側製氷板Ａと、散水装置Ｂとを備えており、両製氷板Ａは、互いに間隔をおいて対向するように立設されている。
【００２２】
左側製氷板Ａは、製氷板部１０ａと、この製氷板部１０ａの幅方向（図１にて紙面に垂直な方向）の各端部から右側へＬ字状に延出する各側板部１０ｂ（図１では一方の側板部のみを示す）と、製氷板部１０ａの上端部から右側へＬ字状に延出する上板部１０ｃとにより構成されている。また、右側製氷板Ａは、左側製氷板Ａと対照的な構成を有しており、この右側製氷板Ａの製氷板部１０ａ、両側板部１０ｂ及び上板部１０ｃは、左側製氷板Ａの製氷板部１０ａ、両側板部１０ｂ及び上板部１０ｃに対向して位置している。
【００２３】
散水装置Ｂは、図１及び図２にて示すごとく、左右両側製氷板Ａ上にその各製氷板部１０ａの幅方向に沿い上方へ取り外し可能に配設されている。
【００２４】
当該散水装置Ｂは、散水体２０と、板状散水案内部材３０とを備えている。散水体２０は、図１にて示すごとく、本体部材２０ａと、両端部部材２０ｂ、２０ｃとにより構成されている。本体部材２０ａは、製氷水用散水路２１、除氷水用散水路２２及び左右両側拡散壁２３を一体に備えている。両散水路２１、２２は、図１及び図３にて示すごとく、共に、同一の断面矩形状にて、互いに平行となり上下に一体となるように形成されており、これら両散水路２１、２２は、その境界を基準に上下対称的な構成となっている。なお、製氷板Ａに後述のように成長する板状製氷を除氷する除氷水を十分に確保できるように、散水路２２の中空部断面積は、散水路２１の中空部断面積と同一になっている。
【００２５】
散水路２１は、図１、図３及び図４から分かるように、複数対の散水孔２１ａを有している。これら複数対の散水孔２１ａのうち各左側散水孔２１ａは、散水路２１の左側壁２１ｂにその長手方向に沿い所定間隔にて形成されており、一方、複数対の散水孔２１ａのうち各右側散水孔２１ａは、各左側散水孔２１ａに対向するように、散水路２１の右側壁２１ｂにその長手方向に沿い所定間隔にて形成されている。
【００２６】
ここで、各左側散水孔２１ａは、左側壁２１ｂの散水路２１内底面から同一の高さ方向中間部位に形成されて、当該散水路２１内に連通している。しかして、各左側散水孔２１ａは、散水路２１内に流れる製氷水を左側外方へ噴出する。一方、各右側散水孔２１ａは、右側壁２１ｂの散水路２１内底面から同一の高さ方向中間部位に形成されて、当該散水路２１内に連通している。しかして、各右側散水孔２１ａは、散水路２１内に流れる製氷水を右側外方へ噴出する。
【００２７】
散水路２２は、図１、図３及び図４から分かるように、複数対の散水孔２２ａを有している。これら複数対の散水孔２２ａのうち各左側散水孔２２ａは、散水路２２の左側壁２２ｂにその長手方向に沿い所定間隔にて形成されており、一方、複数対の散水孔２２ａのうち各右側散水孔２２ａは、各左側散水孔２２ａに対向するように、散水路２２の右側壁２２ｂにその長手方向に沿い所定間隔にて形成されている。
【００２８】
ここで、各左側散水孔２２ａは、左側壁２２ｂの散水路２２内底面から同一高さ方向中間部位に形成されて、当該散水路２２内に連通している。しかして、各左側散水孔２２ａは、散水路２２内に流れる除氷水を左側外方へ噴出する。一方、各右側散水孔２２ａは、右側壁２２ｂの散水路２２内底面から同一の高さ方向中間部位に形成されて、当該散水路２２内に連通している。しかして、各右側散水孔２２ａは、散水路２２内に流れる除氷水を右側外方へ噴出する。
【００２９】
左右両側拡散壁２３は、両散水路２１、２２の各左右両側壁２１ｂ、２２ｂの境界から図１及び図３にて図示左右方へ水平状に左右両側製氷板部１０ａの各表面１１まで延出しており、これら拡散壁２３は、その各下面にて、左右両側製氷板Ａの各上板部１０ｃ上に製氷板部１０ａの幅方向に沿い載置されている。これにより、上述した散水装置Ｂの各製氷板Ａから上方への取り外しが可能となっている。
【００３０】
左右両側拡散壁２３の各上面２３ａは、水平状平面となっている。しかして、左側拡散壁２３は、その上面２３ａにて、後述のように散水案内部材３０により案内される製氷水を拡散して、一様な面状の散水として、上面２３ａの外端部を介し左側拡散壁２３の外端部２３ｂから左側製氷板部１０ａの製氷面１１に沿い流下させる。一方、右側拡散壁２３は、その上面２３ａにて、後述のように散水案内部材３０により案内される製氷水を拡散して、一様な面状の散水として、上面２３ａの右端部を介し外端部２３ｂから右側製氷板部１０ａの製氷面１１に沿い流下させる。なお、上述のように各上面２３ａは製氷水を拡散することから、当該各上面２３ａは拡散面であるともいえる。
【００３１】
両端部部材２０ｂ、２０ｃのうち、端部部材２０ｂは、製氷水を散水体２０ａの散水路２１内にその左端部から流入させるものであり、一方、端部部材２０ｃは、除氷水を散水体２０ａの散水路２２内にその右端部から流入させるものである（図２参照）。
【００３２】
端部部材２０ｂは、図２及び図４〜図６にて示すごとく、その右端部にて、本体部材２０ａの左端部に液密的に連結されている。この端部部材２０ｂは、図６にて示すごとく、製氷水導入路２４を備えており、当該製氷水導入路２４は、端部部材２０ｂの左端部から右端部にかけて逆への字状に湾曲している。ここで、製氷水導入路２４は、その右端開口部にて散水路２１内にその左端部から連通し、その左端開口部にて、製氷水供給管（図示しない）に連通する。なお、当該製氷水供給管は、製氷水供給源（図示しない）から圧送される製氷水を端部部材２０ｂの製氷水導入路２４内に供給する。また、当該製氷水供給源の製氷水導入路２４内への供給は、両製氷板Ａの直下に位置する製氷水タンク（図示しない）内からポンプ（図示しない）により汲み出して圧送される製氷水を上記製氷水供給管を介し製氷水導入路２４内に供給することで行われる。
【００３３】
一方、端部部材２０ｃは、図２、図４及び図５にて示すごとく、その左端部にて、本体部材２０ａの右端部に液密的に連結されており、当該端部部材２０ｃは、端部部材２０ｂを図６にて図示上下方向に反対にした構成を有している。従って、この端部部材２０ｃの除氷水導入路（製氷水導入路２４に対応する）は、端部部材２０ｃの右端部から左端部にかけてへの字状に湾曲し、その左端開口部にて散水路２２内にその右端部から連通し、その右端開口部にて、除氷水供給管（図示しない）に連通する。なお、当該除氷水供給管は、除氷水供給源（図示しない）から圧送される除氷水を端部部材２０ｃの除氷水導入路内に供給する。
【００３４】
散水案内部材３０は、図１及び図２にて示すごとく、散水体２０の本体部材２０ａに取り付けられている。当該散水案内部材３０は、取り付け板部３１と、左右両側案内板部３２とを備えており、取り付け板部３１は、散水路２１の上壁２１ｃ（図１参照）に沿いその長手方向に載置されて、各ねじ３１ａの上壁２１ｃの各雌ねじ孔２１ｄ（図５参照）への締着により、当該上壁２１ｃに着脱可能に取り付けられている。
【００３５】
左側案内板部３２は、図１にて示すごとく、取り付け板部３１の左端部から図示左側下方に向け傾斜状に延出しており、この左側案内板部３２は、その裏面に沿い、散水路２１の各左側散水孔２１ａからの噴出製氷水を左側拡散壁２３の上面２３ａ上に向け案内流下させる。一方、右側案内板部３２は、図１にて示すごとく、取り付け板部３１の右端部から図示右側下方に向け傾斜状に延出しており、この右側案内板部３２は、その裏面に沿い、散水路２１の各右側散水孔２１ａからの噴出製氷水を右側拡散壁２３の上面２３ａ上に向け案内流下させる。
【００３６】
蒸発器４０は、図１にて示すごとく、コイル状の冷却管からなるもので、この蒸発器４０は、左右両側製氷板Ａの各製氷板部１０ａの裏面間に沿い立設されている。この蒸発器４０は、当該製氷機の冷凍回路（図示しない）の一構成部材であって、製氷機の製氷モードでは、当該冷凍回路においてコンプレッサの作動のもと循環する冷媒に基づき、各製氷板部１０ａの製氷面１１に沿い流下する製氷水を各製氷板部１０ａを介し冷却して板状の製氷に成長させ、製氷機の除氷モードでは、上記コンプレッサの吐出高温圧縮冷媒の下、各製氷板部１０ａの裏面１２に沿い流下する除氷水により製氷板部１０ａから上記製氷を分離させるように溶融して落下させる。
【００３７】
以上のように構成した本実施形態において、散水装置Ｂの作動を当該製氷機による製氷モード及び除氷モードとの関連において説明する。
【００３８】
当該製氷機が製氷モードになると、蒸発器４０が上記冷凍回路において上記コンプレッサの作動のもとに循環する冷媒に基づき左右両側製氷板Ａの各製氷板部１０ａを冷却する。
【００３９】
また、上記製氷水供給源からの製氷水が散水体２０の端部部材２０ｂに図２にて示すごとく圧送されると、この製氷水は、当該端部部材２０ｂの製氷水導入路２４を通り製氷水用散水路２１内に圧送される。このように圧送される製氷水は、散水路２１の各左右両側散水孔２１ａを通り左右の外方へ噴出する。すると、各左側散水孔２１ａから噴出する製氷水は、それぞれ、散水案内部材３０の左側案内板部３２の裏面に沿い案内されて散水体２０の左側拡散壁２３の上面２３ａ上に流下する。一方、各右側散水孔２１ａから噴出する製氷水は、それぞれ、散水案内部材３０の右側案内板部３２の裏面に沿い案内されて散水体２０の右側拡散壁２３の上面２３ａ上に流下する。
【００４０】
ついで、上述のように散水案内部材３０の左側案内板部３２の裏面により案内されて左側拡散壁２３の上面２３ａ上に流下した各製氷水は、左側拡散板２３の外端面２３ｂから左側製氷板Ａの製氷板部１０ａの製氷面１１に沿い流下し、この過程において、蒸発器４０により冷却されて板状の製氷に成長する。一方、上述のように散水案内部材３０の右側案内壁３２の裏面により案内されて右側拡散板２３の上面２３ａに流下した各製氷水は、右側拡散板２３の外端面２３ｂから右側製氷板Ａの製氷板部１０ａの製氷面１１に沿い流下し、この過程において、蒸発器４０により冷却されて板状の製氷に成長する。なお、両製氷板Ａの各製氷面１１に沿い流下する製氷水は上記製氷水タンク内に流入する。
【００４１】
ここで、上述のように、左右両側拡散板２３の各上面２３ａは水平平面状となっている。このため、左側拡散板２３の上面２３ａ上に上述のように流下する各製氷水は、当該上面２３ａ上にて拡散されて広がり一様な面状となり、左側拡散板２３の外端面２３ｂに向け流動し、一方、右側拡散板２３の上面２３ａ上に上述のように流下する各製氷水は、当該上面２３ａ上にて拡散されて広がり一様な面状となって、右側拡散板２３の外端面２３ｂに向け流動する。
【００４２】
このように、散水案内部材３０の左側案内板部３２と左側拡散壁２３との相乗作用により散水路２１の各左側散水孔２１ａから噴出する製氷水を一様な面状に拡散するとともに、散水案内部材３０の右側案内板部３２と右側拡散壁２３との相乗作用により散水路２１の各右側散水孔２１ａから噴出する製氷水を一様な面状に拡散するようにした。
【００４３】
このため、散水路２１の左側壁２１ｂに対する各左側散水孔２１ａの形成間隔及び散水路２１の右側壁２１ｂに対する各右側散水孔２１ａの形成間隔を共に広くでき、その結果、左右両側の散水孔２１ａの各数を共に減少させ得る。しかも、上述のように左右両側散水孔２１ａの各形成間隔を広くできるので、左右両側の各散水孔２１ａの内径を大きくすることができる。その結果、左右両側の各散水孔２１ａの汚れの付着による孔径の減少や閉塞等を確実に防止でき、当該左右両側の各散水孔２１ａの製氷水の噴出を良好に確保し得る。
【００４４】
また、上述のように拡散流動する一様な面状の製氷水は、左側拡散板２３においては、その上面２３ａの外端部を介し外端面２３ｂから左側製氷板Ａの製氷板部１０ａの製氷面１１に沿い流下し、蒸発器４０により冷却されて板状の製氷に成長する。一方、上述のように拡散流動する一様な面状の製氷水は、右側拡散板２３においては、その上面２３ａの外端部を介し外端面２３ｂから右側製氷板Ａの製氷板部１０ａの製氷面１１に沿い流下し、蒸発器４０により冷却されて板状の製氷に成長する。
【００４５】
当該製氷機が除氷モードになると、蒸発器４０が上記冷凍回路において上記コンプレッサの作動のもとに吐出される高温圧縮冷媒に基づき左右両側製氷板Ａの各製氷板部１０ａを暖める。
【００４６】
また、上記除氷水供給源からの除氷水が散水体２０の端部部材２０ｃに図２にて示すごとく圧送されると、この除氷水は、当該端部部材２０ｃの除氷水導入路を通り除氷水用散水路２２内に圧送される。このように圧送される除氷水は、散水路２２の各左右両側散水孔２２ａを通り左右の外方へ噴出する。すると、各左側散水孔２２ａから噴出する除氷水は、左側製氷板Ａの製氷板部１０ａの裏面１２に沿い蒸発器４０により暖められながら流下し、一方、各右側散水孔２２ａから噴出する除氷水は、右側製氷板Ａの製氷板部１０ａの裏面１２に沿い蒸発器４０により暖められながら流下する。
【００４７】
ここで、散水路２２の中空断面積は散水路２１の中空断面積と同一であり、各散水孔２２ａの数及び内径は各散水孔２１ａの数及び内径と同一であるため、各板状の製氷を各製氷板部１０ａから分離するに十分な量の除氷水を各製氷板部１０ａの裏面１２に沿い流下させることができる。このため、各製氷板部１０ａの製氷面１１に成長した板状の製氷は、各製氷面１１から良好に溶融分離して落下する。
【００４８】
また、散水路２２は、散水路２１と共に、上述のように断面矩形状となっている。従って、散水路２２の左右両側壁２２ｂは、散水路２１の左右両側壁２１ｂと共に、互いに平行な平板状の壁となっている。このため、左右両側壁２２ｂに対する各散水孔２２ａの形成加工は、左右両側壁２１ｂに対する各散水孔２１ａの形成加工と共に、容易に行える。
【００４９】
また、散水体２０において、両散水路２１、２２は上下に一体に形成されているので、製氷水用散水路及び除氷水用散水路を互いに別体で製造するのに比べて、散水路の製造コスト及び製氷水用散水路及び除氷水用散水路の取り付けに用いる他の部品の数及びコストを削減できる。
【００５０】
また、散水体２０において、両散水路２１、２２は上下対称的構造にて一体に形成されているので、散水路２２の各散水孔２２ａがあまり汚れていないのに散水路２１の各散水孔２１ａの汚れがひどい場合には、散水体２０を上下反対にして、散水路２２を製氷水用として利用し、散水路２１を除氷水用として利用することができる。即ち、両散水路２１、２２に互換性を持たせることができ、その結果、散水体２０を洗浄することなく使用できる期間を長くし得る。なお、上述した各散水孔２１ａの汚れは、例えば、両製氷板Ａの各製氷面１１に沿い流下して上記製氷水タンク内に流入した製氷水が再び上記製氷水供給源により製氷水導入路２４内に供給されるまでの過程において汚れること等に起因する。
【００５１】
また、散水案内部材３０を、各ねじ３１ａの取り外しでもって、製氷板Ａ上に載置したままの散水体２０から取り外すことで、製氷水用として利用する散水路の両側壁を外方にさらすことができる。従って、汚れやすい散水路の散水孔（特に製氷水用散水路の散水孔）の掃除がし易い。
【００５２】
また、散水体２０は両拡散壁２３にて両製氷板Ａの各上板部１０ｃ上に載置されているだけである。従って、散水体２０の取り外しは、当該散水体２０を上方へ持ち上げるだけで行えるので、散水体２０の取り外し（例えば、製氷板の幅方向への引き抜き）及び再度の載置のためのスペースを特に設ける必要がない。
【００５３】
なお、本発明の実施にあたり、上記実施形態に限ることなく次のような種々の変形例が挙げられる。
（１）散水体２０の両散水路２１、２２は、その境界に対し非対称な断面形状で形成してもよい。この場合、散水路２２は、散水路２１よりも小さな中空部断面積を有するようにして、製氷板に製氷をセル状に区画して成長させるように構成した流下式製氷機の散水装置に本発明を適用してもよい。
（２）散水体２０の左右両側拡散壁２３は、両散水路２１、２２の境界から水平状に延出していなくてもよく、両製氷板Ａの各上板部１０ｃ上に散水体２０を左右対称的に載置できればよい。また、左右両側拡散壁２３の各上面２３ａが水平な平面状に形成されていれば、左右両側拡散壁２３は、両散水路２１、２２の境界から水平状に延出していなくてもよい。
（３）両製氷板Ａの各側板部１０ｂ及び各上板部１０ｃは廃止してもよい。
（４）散水体２０の両端部部材２０ｂ、２０ｃを廃止して、散水路２１の右端部を閉塞し、散水路２２の右端部を閉塞するとともに、散水路２１の左端部を上記製氷水供給管に直接接続し、散水路２２の右端部を上記除氷水供給管に直接接続するようにしてもよい。また、各散水路２１、２２の右端部（或いは左端部）にそれぞれ上記製氷水供給管及び除氷水供給管を直接接続し、各散水路２１、２２の左端部（或いは右端部）を閉塞するようにしてもよい。
（５）両製氷板Ａの一方（例えば、左側製氷板Ａ）を廃止する場合には、散水装置Ｂ左右両側拡散壁２３の一方（左側製氷板Ａに対応する左側拡散壁２３）及び散水案内部材３０の左右両側案内板部３２の一方（左側製氷板Ａに対応する左側案内板部３２）を廃止してもよい。
【図面の簡単な説明】
【図１】本発明に係る流下式製氷機の一実施形態の要部を示す概略判断面図である。
【図２】当該製氷機の要部を示す左側面図である。
【図３】図２の散水装置の横断面図である。
【図４】当該散水装置の左側面図である。
【図５】当該散水装置の平面図である。
【図６】散水体の部分縦断面図である。
【符号の説明】
Ａ…製氷板、Ｂ…散水装置、１０ａ…製氷板部、１０ｃ…上板部、
２０…散水体、２１…製氷水用散水路、２１ａ…散水孔、２１ｂ、２２ｂ…側壁、
２２…除氷水用散水路、２３…拡散壁、２３ａ…上面、３０…散水案内部材、
３１…取り付け板部、３２…案内板部。
【図１】
2004309011.tif 000003
【図２】
2004309011.tif 000004
【図３】
2004309011.tif 000005
【図４】
2004309011.tif 000006
【図５】
2004309011.tif 000007
【図６】
2004309011.tif 000008